(57)【要約】      （修正有）【課題】高い冷感値および滑らかな手触りを有するだけでなく、一方向へ透湿して速乾するという効果を達成することができるポリエチレンヤーン一方向透湿性冷感生地を提供する。【解決手段】織り生地の表層２と、ダブルニット生地の裏層１とを含み、ダブルニット生地の一面がポリエチレンヤーン面１１であり、他の一面が普通の材質の面１２であり、ダブルニット生地における普通の材質の面１２が表層２に貼り付けられる。普通の材質は、具体的に、ポリエステル、ナイロンまたはビスコースである。ポリエチレンヤーン一方向透湿性冷感生地は、同類製品と比べ、冷感を２５％向上させ、３秒間内に目視可能な速乾機能を有し、極めて強い透湿機能、発汗機能、および速乾機能が、現在の市場で織り製品に有しない機能であるため、ギャップを埋めている。【選択図】図１
0003223531.tif 000002
【実用新案登録請求の範囲】
【請求項１】
織り生地の表層と、ダブルニット生地の裏層とを含み、前記ダブルニット生地の一面がポリエチレンヤーン面であり、他の一面が普通の材質の面であり、前記ダブルニット生地における普通の材質の面が前記表層に貼り付けられる、ことを特徴とするポリエチレンヤーン一方向透湿性冷感生地。
【請求項２】
前記普通の材質の面の材質がポリエステル、ナイロンまたはビスコースである、ことを特徴とする請求項１に記載のポリエチレンヤーン一方向透湿性冷感生地。
【請求項３】
前記織り生地の目付が１００−２００ｇ／ｍ２である、ことを特徴とする請求項１に記載のポリエチレンヤーン一方向透湿性冷感生地。
【請求項４】
前記ダブルニット生地の目付が１３０ｇ／ｍ２未満である、ことを特徴とする請求項１に記載のポリエチレンヤーン一方向透湿性冷感生地。
【請求項５】
前記表層と裏層とが、上下の組織構造によって一体に連結されている、ことを特徴とする請求項１に記載のポリエチレンヤーン一方向透湿性冷感生地。
【考案の詳細な説明】
【技術分野】
【０００１】
本考案は、紡績技術分野に属し、特に、ポリエチレンヤーン一方向透湿性冷感生地に関する。
【背景技術】
【０００２】
近年、紡績技術の発展に伴い、人々が紡績製品の機能性に対する要求はますます高くなっている。現在、市場では、冷感材料にポリエステル、ナイロン、ビスコースなどを含んでいるが、もっともよい冷感材料がポリエチレン（ＰＥ）ヤーンである。それは、（１）シルクのような滑らかさを有し、冷感値が高いだけではなく、ヤーンの含水率がゼロであり、つまり脱水するや否や、乾燥可能であり、（２）この特徴を利用して生地組織構造と配合することによって一方向へ透湿して速乾するという効果を達成することができる。しかしながら、ＰＥには多くの適用上の弱点があり、最も克服しにくいものが温度であり、乾燥温度が１００℃を超えると、ＰＥヤーンが老化し硬くなり、元の特性を失わせる。そのため、現在、スパンデックス無し製品、充填物などの低温で成型されるニット製品は、既に適用されている。ただし、織り製品（ニットを含む織り模擬製品）の適用が未だ空白であり、特に、スパンデックス付きの織り製品に対して、染色・成型の温度および生地の収縮率が製品の要求に達することができない。したがって、本考案は、これらの弱点を克服するために、ＰＥヤーンを織り製品に適用することにより、（１）元の高い冷感値および滑らかな手触りを保証するだけでなく、（２）一方向へ透湿して速乾するという効果を達成することができる。
【考案の概要】
【０００３】
本考案は、高い冷感値および滑らかな手触りを有するだけでなく、一方向へ透湿して速乾するという効果を達成することができるポリエチレンヤーン一方向透湿性冷感生地を提供することを目的とする。
【０００４】
従来技術と比べ、本考案の利点および有益な効果は以下の通りである。本考案に係るポリエチレンヤーン一方向透湿性冷感生地は、同類製品と比べ、冷感を２５％向上させ、３秒間内に目視可能な速乾機能を有し、極めて強い透湿機能、発汗機能、および速乾機能が現在の市場での織り製品（ニットを含む織り模擬製品）に有しない機能であるため、ギャップを埋めている。
【図面の簡単な説明】
【０００５】
【図１】本考案に係るポリエチレンヤーン一方向透湿性冷感生地の構造模式図である。
【図２】本考案に係るポリエチレンヤーン一方向透湿性冷感生地の模式図である。
【符号の説明】
【０００６】
１：裏層
１１：ポリエチレンヤーン面
１２：普通の材質の面
２：表層
【考案を実施するための形態】
【０００７】
以下、具体的な実施例を結び付けて本考案の技術案について詳細に説明する。
【０００８】
図１−２に示すように、本考案は、ダブルニット生地の裏層１と、織り生地の表層２とを含み、前記裏層１の一面がポリエチレンヤーン面１１であり、他の一面が例えばポリエステル、ナイロンおよびビスコースなどの普通の材質の面１２であるポリエチレンヤーン一方向透湿性冷感生地を提供する。生地複合機で裏層１と表層２とを貼り付けさせることによって、高い冷感値および滑らかな手触りを有するだけでなく、一方向へ透湿して速乾するという効果を達成可能な生地を形成する。
【０００９】
複合時に、生地の方向に注意を払う必要がある。その理由は、前記裏層１の普通の材質の面１２が表層２と結合してポリエチレンヤーン面が皮膚に接触する面を形成するようにするものである。当該生地は、冷感であり、更に湿気と汗を体外層から絶えず排出し、皮膚に接触する面をずっと乾燥させて滑らかにすることができる。
【００１０】
夏季製品のため、生地の目付が高くすぎないことが要求され、本考案における表層２に用いられる織り生地の目付が１００−２００ｇ／ｍ２であり、前記ダブルニット生地の目付が１３０ｇ／ｍ２未満であることが好ましいことで、複合したポリエチレンヤーン生地の目付が３５０ｇ／ｍ２となり、夏季製品の必要を完全に満たすことができる。
【００１１】
ポリエチレンヤーン一方向透湿性冷感生地の通気性および手触りに影響を完全に与えないことを保証するために、生地複合機は、ドット状のビスコース塗布形態を用い、上下層の生地を複合させながら、水洗の堅牢性を保証することができ、複合させた後、生地が分離せず、ビスコースのドット同士の距離を２−４ｍｍとし、生地によれば調整可能である。ポリエチレンヤーン生地が変質し老化しないことを保証するために、低温（９５℃）、等速７００メートル／時間のような最適化配置パラメータで複合を行い、２４時間保湿・硬化した後、複合製品を得、梱包し入庫して準備する。上記プロセスにより得られた複合製品は、最初に要求される高い冷感値、および一方向への透湿性を完全に備えるだけでなく、やわらかで通気の製品特性を備える。
【００１２】
本考案に係るポリエチレンヤーン一方向透湿性冷感生地は、同類製品と比べ、冷感を２５％向上させ、３秒間内に目視可能な速乾機能を有し、極めて強い透湿機能、発汗機能、および速乾機能が現在の市場で織り製品（ニットを含む織り模擬製品）に有しない機能であるため、ギャップを埋めている。
【００１３】
上述した実施例を参照して本考案について詳細に説明したが、当業者にとって、上述した各実施例に記載される技術案に対して修正を行うことができるか、或いはそのうちの一部の技術的特徴に対して均等置換を行うことができる。本考案の構想および原則から逸脱せずに行われるあらゆる修正、均等置換、改良などは、本考案の保護範囲に含まれるはずである。
【図１】
0003223531.tif 000003
【図２】
0003223531.tif 000004